(57)【要約】【課題】目的のデータを容易に再生させることができるようにする。【解決手段】ページ一覧画面に一覧表示されているページから１つのページである「Page１」が選択されたとき、基本的には、階層構造の順番に従い、ページ一覧画面の次には「Page１」を拡大表示するページ表示画面が表示される。「Page１」に関連付けられているコンテンツである「Data１」が、ページ一覧画面からコンテンツ閲覧画面を直接表示させるような自動閲覧機能の設定を有している場合、ページ一覧画面から「Page１」が選択された直後に、図２７の実線矢印の先に示される「Data１」のコンテンツ閲覧画面が表示される。本発明は、PDA、携帯電話機、パーソナルコンピュータなどのコンテンツを扱う各種の情報処理装置に適用することができる。【選択図】図２７
2005228087.tif 000002
【特許請求の範囲】
【請求項１】
所定のコンテンツの再生画面である第１の画面、前記コンテンツを表す画像を含む第２の画面、および前記第２の画面の一覧を表示する第３の画面の表示の切り替えを制御する情報処理装置において、
前記コンテンツの属性情報として、前記第３の画面から前記第１の画面を直接表示させることを表す表示切替情報をユーザ操作に応じて設定する設定手段と、
前記第３の画面に表示される一覧から選択された前記第２の画面に、前記表示切替情報が設定されている前記コンテンツを表す画像が含まれている場合、表示している前記第３の画面から、前記表示切替情報が設定されている前記コンテンツの再生画面である前記第１の画面に表示を切り替える第１の表示制御手段と
を備えることを特徴とする情報処理装置。
【請求項２】
前記第３の画面に表示される一覧から選択された前記第２の画面に、前記表示切替情報が設定されている前記コンテンツを表す画像が含まれていない場合、表示している前記第３の画面から、選択された前記第２の画面に表示を切り替える第２の表示制御手段をさらに備える
ことを特徴とする請求項１に記載の情報処理装置。
【請求項３】
前記第１の表示制御手段は、前記第２の表示制御手段により表示されている前記第２の画面から前記コンテンツを表す画像が選択された場合、前記第２の画面から、選択された前記画像により表される前記コンテンツの再生画面である前記第１の画面に表示を切り替える
ことを特徴とする請求項２に記載の情報処理装置。
【請求項４】
前記コンテンツを表す画像を配列表示させる画像表示制御手段と、
前記画像表示制御手段により配列表示されている前記画像を前記第２の画面に貼り付けるユーザ操作に応じて、前記第２の画面に表示される情報と、貼り付けられた前記画像により表されるコンテンツを関連付ける関連付け手段と
をさらに備えることを特徴とする請求項１に記載の情報処理装置。
【請求項５】
前記コンテンツは、静止画、動画、音声、または前記静止画が関連付けられた手書き情報を含み、前記第１の画面は、前記静止画を表示する画面、前記動画の再生画面、前記音声を再生していることを表す画面、または前記手書き情報を表示する画面を含む
ことを特徴とする請求項１に記載の情報処理装置。
【請求項６】
所定のコンテンツの再生画面である第１の画面、前記コンテンツを表す画像を含む第２の画面、および前記第２の画面の一覧を表示する第３の画面の表示の切り替えを制御する情報処理方法において、
前記コンテンツの属性情報として、前記第３の画面から前記第１の画面を直接表示させることを表す表示切替情報をユーザ操作に応じて設定する設定ステップと、
前記第３の画面に表示される一覧から選択された前記第２の画面に、前記表示切替情報が設定されている前記コンテンツを表す画像が含まれている場合、表示している前記第３の画面から、前記表示切替情報が設定されている前記コンテンツの再生画面である前記第１の画面に表示を切り替える表示制御ステップと
を含むことを特徴とする情報処理方法。
【請求項７】
所定のコンテンツの再生画面である第１の画面、前記コンテンツを表す画像を含む第２の画面、および前記第２の画面の一覧を表示する第３の画面の表示の切り替えを制御する処理をコンピュータに実行させるプログラムにおいて、
前記コンテンツの属性情報として、前記第３の画面から前記第１の画面を直接表示させることを表す表示切替情報をユーザ操作に応じて設定する設定ステップと、
前記第３の画面に表示される一覧から選択された前記第２の画面に、前記表示切替情報が設定されている前記コンテンツを表す画像が含まれている場合、表示している前記第３の画面から、前記表示切替情報が設定されている前記コンテンツの再生画面である前記第１の画面に表示を切り替える表示制御ステップと
を含むことを特徴とするプログラム。
【発明の詳細な説明】
【技術分野】
【０００１】
本発明は、情報処理装置および方法、並びにプログラムに関し、特に、目的のデータを容易に再生させることができるようにする情報処理装置および方法、並びにプログラムに関する。
【背景技術】
【０００２】
近年販売されているパーソナルコンピュータやPDA(Personal Digital Assistants)などの情報機器の中には、ディジタルカメラなどから取り込んだ複数の静止画を、それぞれのページに貼り付けることで静止画を管理することができるアルバム機能を提供するアプリケーションが用意されているものがある。
【０００３】
このようなアプリケーションを用いて静止画を管理し、１つのアルバムを作成した場合、例えば、そのアルバムのトップページとして、図１の左側に示されるように、ユーザが静止画を貼り付けて作成したページの目次となるページ一覧画面が用意される。
【０００４】
ユーザは、一覧表示されるものの中から１ページを選択し、ページ一覧画面に替えて、図１の中央に示されるような、選択した１ページからなるページ表示画面を表示させ、その１ページに貼り付けた複数の静止画を確認することができる。
【０００５】
なお、図１においては、ページ一覧画面から選択することで表示された「Page１」には、４つの静止画である「Data１」乃至「Data４」が貼り付けられている。
【０００６】
また、一般的には、それぞれのページに貼り付けた静止画のうち、所定の１つを拡大表示させて、その詳細を確認することができるようにもなされている。この場合、ユーザは、図１の中央に示されるページ表示画面から１つの静止画を選択し、図１の右側に示されるように、静止画が拡大表示されるコンテンツ閲覧画面を表示させることができる。
【０００７】
このような階層式の表示の切り替えは、それぞれの画面の各位置にリンク先を表す情報（例えば、ページ一覧画面の「Page１」の文字に、「Page１」のページ表示画面のデータの保存先を表す情報）が埋め込まれることで実現される。
【０００８】
ところで、静止画、動画、音楽などの各種のカテゴリのコンテンツを関連付けることにより、それらのコンテンツを容易に扱うことができるようにする技術として特許文献１に開示されているようなものがある。
【特許文献１】特開２００１−２０９６５８号公報
【発明の開示】
【発明が解決しようとする課題】
【０００９】
上述したアルバムのように、複数のデータが階層構造をなしている場合、ユーザによっては、最終的に目的とするデータを表示させるための操作が煩雑であると感じる者もいる。
【００１０】
例えば、図１のように「ページ一覧画面」、「ページ表示画面」、「コンテンツ閲覧画面」と、それぞれのページが階層構造をなしている場合、ユーザは、１つの静止画である「Data１」のコンテンツ閲覧画面（図１の右の画面）を表示させるためには、ページ一覧画面（図１の左の画面）から「Page１」を選択し、表示される「Page１」のページ表示画面（図１の中央の画面）から「Data１」を選択する必要がある。
【００１１】
また、コンテンツ閲覧画面に「Data１」を拡大表示させている状態から「Data２」を拡大表示させようとする場合、ユーザは、コンテンツ閲覧画面から所定の操作によりページ表示画面に戻り、そこから、「Data２」を選択し直す必要がある。
【００１２】
図１のように３つの階層からなる場合はまだしも、さらに多数の階層によりデータが管理されている場合、目的とするデータを表示させるための操作がかなり煩雑なものとなることがある。
【００１３】
本発明はこのような状況に鑑みてなされたものであり、目的のデータを容易に再生させることができるようにするものである。
【課題を解決するための手段】
【００１４】
本発明の情報処理装置は、所定のコンテンツの再生画面である第１の画面、コンテンツを表す画像を含む第２の画面、および第２の画面の一覧を表示する第３の画面の表示の切り替えを制御する情報処理装置であって、コンテンツの属性情報として、第３の画面から第１の画面を直接表示させることを表す表示切替情報をユーザ操作に応じて設定する設定手段と、第３の画面に表示される一覧から選択された第２の画面に、表示切替情報が設定されているコンテンツを表す画像が含まれている場合、表示している第３の画面から、表示切替情報が設定されているコンテンツの再生画面である第１の画面に表示を切り替える第１の表示制御手段とを備えることを特徴とする。
【００１５】
本発明の情報処理装置は、第３の画面に表示される一覧から選択された第２の画面に、表示切替情報が設定されているコンテンツを表す画像が含まれていない場合、表示している第３の画面から、選択された第２の画面に表示を切り替える第２の表示制御手段をさらに備えるようにすることができる。
【００１６】
第１の表示制御手段は、第２の表示制御手段により表示されている第２の画面からコンテンツを表す画像が選択された場合、第２の画面から、選択された画像により表されるコンテンツの再生画面である第１の画面に表示を切り替えるようにすることができる。
【００１７】
本発明の情報処理装置は、コンテンツを表す画像を配列表示させる画像表示制御手段と、画像表示制御手段により配列表示されている画像を第２の画面に貼り付けるユーザ操作に応じて、第２の画面に表示される情報と、貼り付けられた画像により表されるコンテンツを関連付ける関連付け手段とをさらに備えるようにすることができる。
【００１８】
コンテンツは、静止画、動画、音声、または静止画が関連付けられた手書き情報を含み、第１の画面は、静止画を表示する画面、動画の再生画面、音声を再生していることを表す画面、または手書き情報を表示する画面を含むようにすることができる。
【００１９】
本発明の情報処理方法は、所定のコンテンツの再生画面である第１の画面、コンテンツを表す画像を含む第２の画面、および第２の画面の一覧を表示する第３の画面の表示の切り替えを制御する情報処理方法であって、コンテンツの属性情報として、第３の画面から第１の画面を直接表示させることを表す表示切替情報をユーザ操作に応じて設定する設定ステップと、第３の画面に表示される一覧から選択された第２の画面に、表示切替情報が設定されているコンテンツを表す画像が含まれている場合、表示している第３の画面から、表示切替情報が設定されているコンテンツの再生画面である第１の画面に表示を切り替える表示制御ステップとを含むことを特徴とする。
【００２０】
本発明のプログラムは、所定のコンテンツの再生画面である第１の画面、コンテンツを表す画像を含む第２の画面、および第２の画面の一覧を表示する第３の画面の表示の切り替えを制御する処理をコンピュータに実行させるプログラムであって、コンテンツの属性情報として、第３の画面から第１の画面を直接表示させることを表す表示切替情報をユーザ操作に応じて設定する設定ステップと、第３の画面に表示される一覧から選択された第２の画面に、表示切替情報が設定されているコンテンツを表す画像が含まれている場合、表示している第３の画面から、表示切替情報が設定されているコンテンツの再生画面である第１の画面に表示を切り替える表示制御ステップとを含むことを特徴とする。
【００２１】
本発明の情報処理装置および方法、並びにプログラムにおいては、コンテンツの属性情報として、第３の画面から第１の画面を直接表示させることを表す表示切替情報がユーザ操作に応じて設定され、第３の画面に表示される一覧から選択された第２の画面に、表示切替情報が設定されているコンテンツを表す画像が含まれている場合、表示されている第３の画面から、表示切替情報が設定されているコンテンツの再生画面である第１の画面に表示が切り替えられる。
【発明の効果】
【００２２】
本発明によれば、目的のデータを容易に再生させることができる。
【発明を実施するための最良の形態】
【００２３】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２４】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２５】
請求項１に記載の情報処理装置は、所定のコンテンツの再生画面である第１の画面（コンテンツ閲覧画面）、前記コンテンツを表す画像を含む第２の画面（ページ表示画面）、および前記第２の画面の一覧を表示する第３の画面（ページ一覧画面）の表示の切り替えを制御する情報処理装置（例えば、図１のPDA１）であって、前記コンテンツの属性情報として、前記第３の画面から前記第１の画面を直接表示させることを表す表示切替情報（自動閲覧機能の有効／無効を表す情報）をユーザ操作に応じて設定する設定手段（例えば、図３５のステップＳ３０３の処理を実行する図２３のデータベース構成情報管理部４０１）と、前記第３の画面に表示される一覧から選択された前記第２の画面に、前記表示切替情報が設定されている前記コンテンツを表す画像が含まれている場合、表示している前記第３の画面から、前記表示切替情報が設定されている前記コンテンツの再生画面である前記第１の画面に表示を切り替える第１の表示制御手段（例えば、図２３の静止画コンテンツ再生部４２１−１）とを備えることを特徴とする。
【００２６】
請求項２に記載の情報処理装置は、前記第３の画面に表示される一覧から選択された前記第２の画面に、前記表示切替情報が設定されている前記コンテンツを表す画像が含まれていない場合、表示している前記第３の画面から、選択された前記第２の画面に表示を切り替える第２の表示制御手段（例えば、メモのデータベースの表示を制御する図２３のデータベース表示制御部４０２）をさらに備えることを特徴とする。
【００２７】
請求項３に記載の情報処理装置の第１の表示制御手段は、前記第２の表示制御手段により表示されている前記第２の画面から前記コンテンツを表す画像が選択された場合、前記第２の画面から、選択された前記画像により表される前記コンテンツの再生画面である前記第１の画面に表示を切り替えることを特徴とする。
【００２８】
請求項４に記載の情報処理装置は、前記コンテンツを表す画像を配列表示させる画像表示制御手段（例えば、図２３のサムネイル画像表示制御部４１３）と、前記画像表示制御手段により配列表示されている前記画像を前記第２の画面に貼り付けるユーザ操作に応じて、前記第２の画面に表示される情報と、貼り付けられた前記画像により表されるコンテンツを関連付ける関連付け手段（例えば、図２４のステップＳ７の処理を実行する図２３のデータベース構成情報管理部４０１）とをさらに備えることを特徴とする。
【００２９】
請求項５に記載の情報処理装置が扱うコンテンツは、静止画、動画、音声、または前記静止画が関連付けられた手書き情報を含み、前記第１の画面は、前記静止画を表示する画面、前記動画の再生画面、前記音声を再生していることを表す画面、または前記手書き情報を表示する画面を含むことを特徴とする。
【００３０】
請求項６に記載の情報処理方法は、所定のコンテンツの再生画面である第１の画面（コンテンツ閲覧画面）、前記コンテンツを表す画像を含む第２の画面（ページ表示画面）、および前記第２の画面の一覧を表示する第３の画面（ページ一覧画面）の表示の切り替えを制御する情報処理方法であって、前記コンテンツの属性情報として、前記第３の画面から前記第１の画面を直接表示させることを表す表示切替情報（自動閲覧機能の有効／無効を表す情報）をユーザ操作に応じて設定する設定ステップ（例えば、図３５のステップＳ３０３）と、前記第３の画面に表示される一覧から選択された前記第２の画面に、前記表示切替情報が設定されている前記コンテンツを表す画像が含まれている場合、表示している前記第３の画面から、前記表示切替情報が設定されている前記コンテンツの再生画面である前記第１の画面に表示を切り替える表示制御ステップ（例えば、図３６のステップＳ３１５から進むステップＳ３１６）とを含むことを特徴とする。
【００３１】
請求項７に記載のプログラムにおいても、各ステップが対応する実施の形態（但し一例）は、請求項６に記載の情報処理方法と同様である。
【００３２】
以下、本発明の実施の形態について図を参照して説明する。
【００３３】
本発明を適用したPDA(Personal Digital Assistants)１の外観を図２乃至図５に示す。図２および図３はPDA１の本体正面側の外観を示す斜視図であり、図４および図５は本体背面側の外観を示す斜視図である。
【００３４】
PDA１は、図３に示される中央のヒンジ部１２を境に、表示部１１と本体部１３とに分けられており、ヒンジ部１２を介して折り畳み可能に形成されている（折り畳んだ状態を図２に示す）。
【００３５】
図３に示されるように、表示部１１の面１１−１のほぼ全面には、LCD（Liquid Crystal Display）２８、および、LCD２８の上に積層された透明なタッチパネル３６が設けられている。すなわち、ユーザが、指先や図２のスタイラス２の先端をLCD２８上の任意の位置に接触させると、その座標がタッチパネル３６により検出され、検出された座標に対応する所定の処理が行われる。
【００３６】
ヒンジ部１２には、CCD（Charge Coupled Device）等よりなるカメラ部２１が設けられている。
【００３７】
PDA１を折り畳んだときに面１１−１（表示部１１）に対向する面となる本体部１３の上面１３−１には、PDA１にインストールされている、例えば、スケジュール管理用のプログラム、電話帳管理用のプログラム等のアプリケーションプログラムのそれぞれを表すシンボルが印刷されたボタン３２が設けられている。ユーザによりボタン３２が押下されたとき、それに対応するアプリケーションプログラムが起動される。
【００３８】
また、上面１３−１のボタン３２が配置されている領域の中央部には、LCD２８に表示されている画面を上下方向にスクロールさせるためのスクロールボタン３３が設けられている。さらに、上面１３−１のボタン３２、スクロールボタン３３の下方には、文字、記号、数字等を入力するためのキーボード３４が設けられている。
【００３９】
本体部１３の右側面１３−２には、不揮発性半導体メモリの一種であるメモリースティック（商標）（以下、MSと記述する）３を装着可能なMSスロット４１が設けられている（図２）。なお、MSスロット４１には、例えば、Bluetooth（商標）による通信機能拡張モジュールなどの、MS３と同じ形状の機能拡張モジュールを装着させることも可能である。
【００４０】
図４に示されるように、本体部１３の左側面１３−３には、本体部１３に電力を供給するリチウムイオン電池などからなるリムーバブルメインバッテリ１６２（図６）を着脱するときに開閉するバッテリ蓋２６が設けられている。また、左側面１３−３には、押下および回転自在なジョグダイヤル２５が当該側面から僅かに突出した状態で設けられている。
【００４１】
本体部１３の背面１３−４には、不揮発性半導体メモリの一種であるコンパクトフラッシュ（登録商標）（以下、CFと記述する）４を装着可能なCFスロット４２が設けられている。CFスロット４２は、図５に示すように、CF４を装着するときには当該背面からポップアップするようになされている。なお、CFスロット４２には、例えば、PHS(Personal Handy Phone)による通信機能拡張モジュールなどの、CF４と同じ形状の機能拡張モジュールを装着させることも可能である。
【００４２】
本体部１３の下端面１３−５（図３）には、リムーバブルメインバッテリ１６２に対して充電を行うクレードル９１（図６）等の付属機器を接続するためのコネクタ６７が設けられている。
【００４３】
図６は、以上のような外観構成を有するPDA１の内部の構成例について示すブロック図である。
【００４４】
CPU(Central Processing Unit)１３１は、ROM(Read Only Memory)１３２に記憶されているプログラム、または記憶部１３９からRAM(Random Access Memory)１３３にロードされたアプリケーションプログラムに従って各種の処理を実行する。RAM１３３にはまた、CPU１３１が各種の処理を実行する上において必要なデータなども適宜記憶される。
【００４５】
CPU１３１、ROM１３２、およびRAM１３３は、CPUインタフェース１３５を介して相互に接続されている。CPUインタフェース１３５には、LCD２８に対する画面の表示を制御する表示制御部１３６も接続されている。
【００４６】
表示制御部１３６には、カメラ部２１、LCD２８の他、VRAM１３８も接続されている。表示制御部１３６は、CPU１３１による制御に基づいて、カメラ部２１により撮像された画像をVRAM１３８に記憶させ、そのVRAM１３８に記憶させている画像や、他のメモリ（MS３、CF４、RAM１３３、記憶部１３９）に記憶されている画像をLCD２８に表示させる。VRAM１３８には、カメラ部２１により撮像された画像の他、LCD２８に表示させる画像も記憶される。
【００４７】
また、CPUインタフェース１３５には、ジョグダイヤル２５、ボタン３２、スクロールボタン３３、およびキーボード３４等からなる入力部１３７、タッチパネル３６、赤外線通信ポート６２、MSスロット４１およびCFスロット４２に相当するスロットI/F６４、リムーバブルメインバッテリ１６２およびバックアップバッテリ１６３を充電させるとともに、他の外部装置１５２との通信の中継装置となるクレードル９１等が接続されるコネクタ６７、並びに、マイクロフォン１４２で集音された音声をディジタルデータに変換する音声処理部１４１が接続されている。
【００４８】
なお、タッチパネル３６により検出された座標を表す情報は、CPUインタフェース１３５を介してCPU１３１に供給される。
【００４９】
さらに、CPUインタフェース１３５には、EEPROM(Electrically Erasable and Programmable Read Only Memory)またはハードディスクなどより構成される記憶部１３９が接続される。記憶部１３９は、PDA１に対して着脱可能な記憶媒体であるMS３やCF４とは異なり、PDA１が内蔵するメモリである。
【００５０】
CPUインタフェース１３５には、Bluetooth等の規格に準拠した無線通信を行う無線通信部１４６、および、FeliCa（商標）のようなICカードに対して非接触でデータを読み書きする非接触ICカードインタフェース（I/F）１４７が接続されている。
【００５１】
外部装置１５２に適宜装着される磁気ディスク、光ディスク、光磁気ディスク、あるいは半導体メモリなどから読み出されたアプリケーションプログラムは、赤外線ポート６２を介して行われる赤外線通信、無線通信部１４６を介して行われる無線通信、または、クレードル９１を介して行われる有線の通信等により、必要に応じてPDA１に対して供給され、記憶部１３９にインストールされる。または、スロットI/F６４に適宜装着されるMS３やCF４から読み出されたアプリケーションプログラムも、必要に応じて記憶部１３９にインストールされる。
【００５２】
CPUインタフェース１３５には、表示部１１が本体部１３に対して閉じた状態の場合、オン状態となり、表示部１１が本体部１３に対して開いた状態の場合、オフ状態となるLCD開閉スイッチ１４４、および、表示部１１が所定の角度以上回動された場合にオン状態となるLCD回転スイッチ１４５が設けられている。
【００５３】
また、CPUインタフェース１３５には、リムーバブルメインバッテリ１６２が装着されるメインバッテリ装着部１６１、およびリムーバブルメインバッテリ１６２が取り外されたときの予備電源となる、充電式ボタン電池等から成るバックアップバッテリ１６３が接続されている。
【００５４】
図７は、LCD２８に表示されるメイン画面の例を示す図である。
【００５５】
PDA１を用いて行われる各種の操作は、基本的には、このメイン画面から開始される。メイン画面は、標準表示領域２０１、シルク領域２０２、およびステータス領域２０３からなる。
【００５６】
標準表示領域２０１には、アプリケーションプログラム（ソフトウエア）が実行されているときには、その実行中のアプリケーションプログラムの画面が表示される。また、アプリケーションプログラムが実行されていないときには、図７に示されるように、インストールされているアプリケーションプログラムのそれぞれに対応するアプリケーションアイコン２０４が表示される（ただし、厳密には、このときにおいても、アプリケーションプログラムが全く実行されていないわけではなく、アプリケーションアイコン２０４を表示し、ユーザに選択させるためのアプリケーションプログラムが実行されている）。
【００５７】
図７においては、アプリケーションアイコン２０４として、メモを作成するアプリケーションを実行するときにタップ（スタイラス２の先端でLCD２８の表面が押下）されるメモ帳アイコン２０４Ａ、予定を管理するアプリケーションを実行するときにタップされる予定表アイコン２０４Ｂが表示されている。
【００５８】
シルク領域２０２には、実行中のシルクプラグインに対応するユーザインタフェース（ユーザによる入力用の領域）が表示される。なお、実行されるアプリケーションによっては、シルク領域２０２の表示が消え、標準表示領域２０１とシルク領域２０２の全体に１つの画面が表示されることもある。
【００５９】
ステータス領域２０３には、例えば、バッテリ容量、MSスロット４１に対するMS３の装着の有無や、CFスロット４２に対するCF４の装着の有無、音量設定等の、PDA１の状態を示すステータスアイコン２０５や時刻等が表示される。
【００６０】
図８は、図７のメモ帳アイコン２０４Ａがタップされたときに表示される画面の例を示す図である。
【００６１】
図８に示されるメモの作成画面は、メモ帳アイコン２０４Ａがタップされたときに起動される、メモの作成を管理するソフトウエア（後述するデータベース処理ソフトウエア）によって表示される。
【００６２】
メモの作成画面は、ステータス領域２０３の他に、メモ作成領域２１１、メモを作成するためのツールを選択するときに操作される各種のボタンが表示されるツールボタン領域２１２から構成される。
【００６３】
ユーザは、スタイラス２の先端をメモ作成領域２１１に当て、その状態のままスタイラス２を移動させることで、任意の文字や記号などをメモ作成領域２１１に入力することができる。例えば、図９の曲線の画像２３１は、スタイラス２の先端が移動した軌跡を表し、このように、ユーザは、スタイラス２を用いてメモ作成領域２１１にメモをとることができる。
【００６４】
また、ユーザは、後に詳述するように、スタイラス２で文字や記号を入力するだけでなく、カメラ部２１で撮影した静止画や動画、或いは、録音した音声などの各種のコンテンツを表す画像を貼り付けることによってもメモを作成することができる（メモにコンテンツを関連付けることができる）。
【００６５】
図８のツールボタン領域２１２には、メモに貼り付けるコンテンツの一覧を表示させるときや、既に表示しているコンテンツの一覧を閉じるときに操作（タップ）される一覧表示ボタン２２１、メモ作成領域２１１に手書きの文字などを入力するときに操作されるペンボタン２２２が用意される。ユーザによりペンボタン２２２が操作されたとき、ペンモードが設定される。そのペンモードが設定されている間は、図９に示されるような手書きの入力をメモ作成領域２１１に対して行うことが可能となる。
【００６６】
また、ツールボタン領域２１２には、メモ作成領域２１１に一度入力した文字などを消すときに操作される消しゴムボタン２２３の他、各種のツールを選択するときに操作されるボタンも表示される。
【００６７】
図１０は、図９の状態（コンテンツの一覧が表示されていない状態）で一覧表示ボタン２２１がタップされたときに表示される画面の例を示す図である。
【００６８】
一覧表示ボタン２２１がタップされたとき、図１０に示されるように、ツールボタン領域２１２とステータス領域２０３の間の、それまでメモ作成領域２１１の一部を形成していた領域を含む領域であるサムネイル表示領域２４１が形成され、そこに、メモ作成領域２１１を利用して作成しているメモに貼り付けることができるコンテンツ（コンテンツの内容を表すサムネイル画像）の一覧が表示される。
【００６９】
サムネイル表示領域２４１に表示されるサムネイル画像は、コンテンツ本体のデータから生成されるものである。例えば、静止画コンテンツのサムネイル画像は、コンテンツ本体の静止画が縮小されることで生成され、動画コンテンツのサムネイル画像は、連続する画像の中から選択される、例えば、先頭の１フレーム（MPEG(Moving Picture Experts Group)方式で圧縮された動画コンテンツの場合、最初のＩ(Intra)ピクチャ）の画像が縮小されることで生成される。なお、音声コンテンツのサムネイル画像には、吹き出しの画像が用いられる。
【００７０】
図１０の例においては、左から、「MOV000…」のファイル名が設定された動画コンテンツを表すサムネイル画像２５１、「031030…」のファイル名が設定された音声コンテンツを表すサムネイル画像２５２、「DSC0001」のファイル名が設定された静止画（風景画）コンテンツを表すサムネイル画像２５３、「DSC0002」のファイル名が設定された静止画（人物画）コンテンツを表すサムネイル画像２５４が表示されている。
【００７１】
これらのサムネイル画像で表されるコンテンツは、PDA１の内部のメモリである記憶部１３９やPDA１に装着されているMS３などに、その本体のデータが記憶されている。
【００７２】
例えば、図１０の点線矢印で示されるように、左から３番目の静止画コンテンツのサムネイル画像２５３にスタイラス２を押し当て、その状態のままメモ作成領域２１１上の位置Ｐ1まで移動させ、そこで、スタイラス２の先端をLCD２８の表面から離すことで（ドラッグアンドドロップすることで）、ユーザは、サムネイル画像２５３を位置Ｐ1に貼り付けることができる。
【００７３】
図１１は、位置Ｐ1にサムネイル画像２５３が貼り付けられた状態の画面の例を示す図である。ユーザは、このように、一覧表示されるものの中からドラッグアンドドロップすることで、作成中のメモに、静止画などの各種のカテゴリのコンテンツのサムネイル画像を貼り付けることができる。なお、ユーザは、ペンモードが設定されている状態で、位置Ｐ1に貼り付けたサムネイル画像２５３をメモ作成領域２１１上の他の位置にさらに移動させることもできる。
【００７４】
例えば、ユーザは、「〜に行ったときの写真」などの手書きの文字をメモ作成領域２１１に入力しておき、そのメモに写真（静止画コンテンツ）のサムネイル画像を貼り付けておくことで、PDA１内にある写真を容易に分類することができる。この操作は、フォルダを新規に作成し、そこに写真などのコンテンツを格納することによって分類する場合に較べて直感的な操作であり、外出先などで、僅かな時間に気軽に操作するというPDA１の性質上、好ましい。
【００７５】
また、ユーザは、メモに貼り付けたサムネイル画像をタップすることで、そのサムネイル画像により内容が表されるコンテンツの再生を開始させることができる。
【００７６】
図１２は、図１１のサムネイル画像２５３をタップして、サムネイル画像２５３により内容が表される静止画コンテンツを再生（プレビュー）させたときの画面の例を示す図である。
【００７７】
サムネイル画像２５３がタップされたとき、静止画コンテンツのビューワ機能を有するソフトウエア（後述するコンテンツ処理ソフトウエア）が起動し、サムネイル画像２５３により内容が表される静止画コンテンツの本体のデータに基づいて、ステータス領域２０３以外の領域全体を用いて画像の表示が行われる。これにより、ユーザは、静止画コンテンツの詳細を容易に確認することができる。
【００７８】
なお、メモに貼り付けた動画コンテンツのサムネイル画像２５１をタップした場合も同様に、動画コンテンツの再生が行われ、図１２に示されるようなステータス領域２０３以外の領域を用いて画像が表示される。また、メモに貼り付けた音声コンテンツのサムネイル画像２５２をタップした場合、その音声コンテンツの再生が行われる。
【００７９】
図１３Ａ乃至Ｄは、以上のようにして作成されるメモの表示の階層構造について示す図である。
【００８０】
図１３Ａは、図１１のメモ作成領域２１１（上方に表示される数字と文字（「Unfiled」）を除く部分）に表示されている画面を示す図である。
【００８１】
図１３Ａの画面は複数の層から構成され、その複数の層のうちの最下層には、図１３Ｂに示されるような無地の層（図８のメモ作成領域２１１のように、何も入力されていない層）が配置される。
【００８２】
図１３Ｂの無地の層の上には、スタイラス２で入力された手書きの曲線の画像２３１を表示する層が配置され、その上（図１３Ａの画面を構成する最上層）には、サムネイル画像２５３を表示する層が配置される。サムネイル画像を表示する層は、複数のサムネイル画像がメモに貼り付けられた場合、貼り付けられた数だけ仮想的に配置される。
【００８３】
このように、メモの作成を管理するソフトウエアによりメモ作成領域２１１に表示される画面は、図１３Ｂ乃至Ｄの３つの層から構成される。この層の数は、後述する、予定表の作成を管理するソフトウエアによりメモ作成領域２１１に対応する領域に表示される画面を構成する層の数と異なる。
【００８４】
ここで、サムネイル表示領域２４１の表示の詳細について説明する。
【００８５】
図１４Ａは、図１０のサムネイル表示領域２４１のみを示す図である。
【００８６】
サムネイル表示領域２４１の右上には、サムネイル画像表示部２７１に表示するサムネイル画像を、それが表すコンテンツのカテゴリに応じてフィルタリングするカテゴリ選択ボタン２６１乃至２６４が表示されている。
【００８７】
すなわち、一覧表示ボタン２２１を操作したとき、サムネイル画像表示部２７１には、メモ作成領域２１１で作成中のメモに貼り付けることができる全てのカテゴリのコンテンツのサムネイル画像が表示されるが、ユーザは、カテゴリ選択ボタン２６１乃至２６４を操作することで、サムネイル画像表示部２７１に表示されるサムネイル画像を制限することができる。
【００８８】
例えば、カメラの絵が付されたカテゴリ選択ボタン２６１が操作されたとき、サムネイル画像表示部２７１に表示されるサムネイル画像の中から、静止画コンテンツのサムネイル画像が除かれ（表示が消え）、フィルムの絵が付されたカテゴリ選択ボタン２６２が操作されたとき、動画コンテンツのサムネイル画像が除かれる。
【００８９】
また、ペンと紙の絵（メモ）が付されたカテゴリ選択ボタン２６３が操作されたとき、サムネイル画像表示部２７１に表示されるサムネイル画像の中から、メモのコンテンツを表すサムネイル画像が除かれる。
【００９０】
なお、PDA１においては、メモの作成中（メモの作成を管理するソフトウエアの実行中）は、その作成中のメモに、予め作成しておいた他のメモをコンテンツとして貼り付けることはできないこととされている。従って、メモの作成中は、サムネイル画像表示部２７１にメモのサムネイル画像が表示されないことから、カテゴリ選択ボタン２６３は操作不能とされる。
【００９１】
後述する予定表の作成を管理するソフトウエアの実行中は、作成中の予定表に、予め作成しておいたメモをコンテンツとして貼り付けることが可能とされ、カテゴリ選択ボタン２６３が操作された場合、サムネイル画像表示部２７１に表示されるサムネイル画像の中から、メモのサムネイル画像が除かれる。
【００９２】
カテゴリ選択ボタン２６３の右隣には、吹き出しの絵が付されたカテゴリ選択ボタン２６４が用意されている。カテゴリ選択ボタン２６４が操作されたとき、サムネイル画像表示部２７１に表示されるサムネイル画像の中から、音声コンテンツのサムネイル画像が除かれる。
【００９３】
図１４Ｂは、静止画、動画、音声のそれぞれのカテゴリのコンテンツのサムネイル画像が表示されている図１４Ａの状態から、カテゴリ選択ボタン２６２（動画コンテンツのサムネイル画像の表示を消すボタン）とカテゴリ選択ボタン２６４（音声コンテンツのサムネイル画像の表示を消すボタン）が操作された状態の表示を示す図である。
【００９４】
図１４Ｂに示されるように、サムネイル画像表示部２７１に表示するサムネイル画像の中から、動画と音声のコンテンツを表すサムネイル画像がフィルタリングによりカットされ、その表示が消される。
【００９５】
このように、サムネイル画像表示部２７１に表示させるサムネイル画像に、カテゴリに基づくフィルタリングをかけることができるため、ユーザは、貼り付けようとするコンテンツのサムネイル画像を迅速に探すことができる。
【００９６】
例えば、ある静止画コンテンツをメモに貼り付けようとしている場合、図１４Ｂに示されるように他のカテゴリのコンテンツのサムネイル画像を除いてから探すことで、ユーザは、貼り付けようとする静止画コンテンツのサムネイル画像を迅速に探すことができる。
【００９７】
以上のようにしてサムネイル画像表示部２７１に表示されるサムネイル画像からも、メモに貼り付けたサムネイル画像から、そのサムネイル画像により表されるコンテンツを再生させることができるのと同様に、コンテンツの再生を開始させることが可能とされる。
【００９８】
例えば、図１４Ａに示されるように、静止画コンテンツのサムネイル画像２５３がカーソル２８１で選択されている状態でさらにタップされた場合、図１２を参照して説明したように、その静止画コンテンツがLCD２８に拡大表示される。すなわち、ビューワ機能を提供するソフトウエアが実行され、静止画コンテンツの表示が行われる。
【００９９】
サムネイル画像表示部２７１の下には、サムネイル画像表示部２７１に表示させるサムネイル画像の範囲を切り替えるときに水平方向に操作されるスクロールバー２７２が表示され、その下には、カーソル２８１で選択されているコンテンツの名前等を表示するコンテンツ情報表示部２７３が表示される。
【０１００】
なお、図１４Ａにおいて、動画コンテンツのサムネイル画像２５１上に表示されているMS３の外観を表す画像２５１Ａは、その動画コンテンツが外部のメモリであるMS３に記憶されているものであることを表している。また、フィルムの絵を表す画像２５１Ｂは、それが付されているサムネイル画像２５１が動画コンテンツのものであることを表している（静止画コンテンツのサムネイル画像と区別できるようになっている）。
【０１０１】
図１５は、図７の予定表アイコン２０４Ｂがタップされたときに表示される画面の例を示す図である。図１５において、図８と同じ部分には同一の符号を付している。
【０１０２】
予定表アイコン２０４Ｂがタップされたとき、予定表の作成を管理するソフトウエアが起動し、図１５に示されるような予定表の作成画面が表示される。
【０１０３】
予定表の作成画面は、ステータス領域２０３の他に、所定の間隔で時刻が表示される予定入力領域３０１、予定入力領域３０１の表示形式（週単位、月単位による表示形式）を変更するときに操作されるボタンなどが用意される表示切替領域３０２、予定表を作成するためのツールを選択するときに操作されるボタンが用意されるツールボタン領域３０３から構成される。
【０１０４】
ツールボタン領域３０３には、予定表に貼り付けるコンテンツのサムネイル画像の一覧を表示させるときに操作される一覧表示ボタン２２１、予定入力領域３０１に手書きの文字や記号などを入力するときに操作されるペンボタン２２２、一度入力した手書きの文字などを消すときに操作される消しゴムボタン２２３などの、図８のツールボタン領域２１２に用意されるものと同じボタンが用意される。
【０１０５】
また、ツールボタン領域３０３には、これらのボタンの他、予定入力領域３０１に入力した予定の１つの項目を選択し、その選択した項目を移動したり、内容を変更する手モードを選択するときに操作される手ボタン３１１が表示される。この手ボタン３１１は、上述したメモの作成時には用意されないボタンである。
【０１０６】
図１６は、図１５の画面に対して、ある予定が入力された状態の画面の例を示す図である。
【０１０７】
予定入力領域３０１の９時（９：００）の欄に入力された予定３２１（「会議」の文字が入力されている予定）は、例えば、ユーザにより手ボタン３１１が操作され、手モードが設定されてから入力されたものである。９時の時間帯が、予定を入力する時間帯としてスタイラス２で選択された場合、画面の下方には図７のシルク領域２０２が表示されるため、ユーザは、その領域を用いて予定を入力する（「会議」の文字を入力する）。
【０１０８】
なお、一覧表示ボタン２２１の右隣にあるボタンは、予定を新規に作成するときに操作されるボタンであり、このボタンが操作された場合も、手モードが設定された状態で時間帯が指定されたときと同様に、新たな予定を入力することが可能とされる。
【０１０９】
図１７は、図１６の状態の画面に対して、「重要！」の手書き文字と、予定３２１を指す矢印の画像からなる画像３３１が入力された状態の画面を示す図である。
【０１１０】
ペンボタン２２２を操作し、ペンモードを設定することによって、ユーザは、予定入力領域３０１に手書きの文字などを入力することができる。
【０１１１】
このように、予定表を作成する場合でも、ユーザは、所定の時間帯に予定の項目を入力するだけでなく、上述したメモを作成する場合と同様に手書きの文字を入力することができる。
【０１１２】
図１８は、図１７の状態（サムネイル画像の一覧が表示されていない状態）において、一覧表示ボタン２２１がタップされたときに表示される画面の例を示す図である。
【０１１３】
一覧表示ボタン２２１がタップされたとき、図１８に示されるように、ツールボタン領域３０３とステータス領域２０３の間の、それまで予定表入力領域３０１の一部を形成していた領域を含む領域であるサムネイル表示領域２４１が形成され、そこに、予定入力領域３０１に貼り付けることができるコンテンツのサムネイル画像の一覧が表示される。
【０１１４】
例えば、音声コンテンツのサムネイル画像３５２をスタイラス２で選択し、図１８の点線矢印で示されるように、その状態のまま予定入力領域３０１上の位置Ｐ2まで移動させ、スタイラス２の先端をLCD２８の表面から離すことで、ユーザは、サムネイル画像３５２を位置Ｐ2に貼り付けることができる。
【０１１５】
図１９は、位置Ｐ2に音声コンテンツのサムネイル画像３５２が貼り付けられた状態の画面の例を示す図である。
【０１１６】
ユーザは、このように、一覧表示されるものの中からドラッグアンドドロップすることで、予定表に、各種のカテゴリのコンテンツのサムネイル画像を貼り付けることができる（予定表にコンテンツを関連付けることができる）。
【０１１７】
以上のようにしてサムネイル画像を予定表に貼り付けることができるため、ユーザは、例えば、９時からの会議（図１９の予定３２１の「会議」）が終了したとき、そのときに録音しておいた音声コンテンツのサムネイル画像３５１を予定３２１の周りに貼り付けておくことで、後から、その会議で録音した音声コンテンツを容易に探すことができる。
【０１１８】
そのサムネイル画像の貼り付けも、サムネイル表示領域２４１に表示されるものの中からドラッグアンドドロップするだけの非常に直感的な操作である。
【０１１９】
また、予定表に貼り付けたサムネイル画像３５１をタップすることで、そのサムネイル画像３５１により表される音声コンテンツの再生を開始させることができるため、ユーザは、会議で録音した音声を予定表から容易に再生させることができる。
【０１２０】
なお、図１８、図１９において、サムネイル画像３５３，３５４は、予め作成しておいたメモのサムネイル画像である。上述したように、予定表の作成時には、予め作成しておいたメモをコンテンツとして予定表に関連付けることができるため、メモのサムネイル画像もサムネイル表示領域２４１に表示される。
【０１２１】
図２０Ａ乃至Ｅは、以上のようにして作成される予定表の階層構造について示す図である。
【０１２２】
図２０Ａは、図１９の予定入力領域３０１（図１９の上方に表示される年月日と曜日（Ｓ，Ｍ，Ｔ，Ｗ，Ｔ，Ｆ，Ｓ）を除く部分）に表示される画面を示す図である。
【０１２３】
図２０Ａの画面も複数の層から構成され、そのうちの最下層には、図２０Ｂに示されるような時間帯を表示する層（図１５の予定入力領域３０１のように、何の予定も入力されていない予定表の層）が配置される。
【０１２４】
図２０Ｂの層の上には、図２０Ｃに示されるように、ユーザにより入力された予定３２１（図２０Ｂの９時の時間帯に入力された予定）を表示する層が配置され、その上には、図２０Ｄに示されるように、スタイラス２で入力された手書きの「重要！」の文字と、予定３２１を指す矢印の画像３３１を表示させる層が配置される。
【０１２５】
図２０Ｅに示されるように、図２０Ａの画面の最上層には、サムネイル画像３５２を表示させる層が配置される。
【０１２６】
このように、予定表の作成を管理するソフトウエアにより予定入力領域３０１に表示される画面は、図２０Ｂ乃至Ｅの４つの層から構成される。この層の数（４層）は、上述した、メモの作成を管理するソフトウエアにより表示される画面を構成する層の数（３層）と異なる。
【０１２７】
すなわち、サムネイル表示領域２４１に表示されるサムネイル画像の貼り付け先は、サムネイル画像の一覧と同時に表示される画面を用いて作成されるデータのカテゴリにより異なり、複数あるといえる。
【０１２８】
次に、以上のような画面表示を実現するソフトウエア構成について説明する。
【０１２９】
なお、以下において、メモの作成を管理するソフトウエアにより作成される１つのメモのファイルや、予定表の作成を管理するソフトウエアにより作成される１つの予定表のファイルをデータベースともいう。従って、コンテンツの貼り付け先や手書きの文字の入力先はデータベースとなる。
【０１３０】
図２１は、PDA１に用意されるソフトウエアの例を示すブロック図である。
【０１３１】
これらのソフトウエアは、内蔵のメモリである記憶部１３９（図６）などに記憶されている。PDA１には、複数のデータベース処理ソフトウエアからなるデータベース処理ソフトウエア群３６１、複数のコンテンツ処理ソフトウエアからなるコンテンツ処理ソフトウエア群３６２、サムネイル表示ソフトウエア３６３が用意されている。
【０１３２】
データベース処理ソフトウエア群３６１は、メモのデータベースの作成を管理するメモデータベース処理ソフトウエア３７１−１と、予定表のデータベースの作成を管理する予定表データベース処理ソフトウエア３７１−２から構成される。以下、メモデータベース処理ソフトウエア３７１−１と予定表データベース処理ソフトウエア３７１−２を個々に区別する必要がない場合、まとめてデータベース処理ソフトウエア３７１という。
【０１３３】
なお、図２１においては、データベース処理ソフトウエアは２つしか用意されていないが、実際には、図７の画面にアプリケーションアイコン２０４が用意されているソフトウエアであって、データベースの作成に関するソフトウエア毎にデータベース処理ソフトウエアが用意される。
【０１３４】
データベース処理ソフトウエア３７１は、データベースの作成機能をユーザに提供し、例えば、スタイラス２による手書き文字の入力や、サムネイル画像の貼り付けを受け付け、データベースを作成する。
【０１３５】
データベース処理ソフトウエア３７１は、データベース毎に、図２２に示されるようなデータベースの構成を表すデータベース構成情報を用いてその作成を管理する。
【０１３６】
図２２の例においては、データベースに貼り付けられたサムネイル画像により表されるコンテンツ等の種類、サムネイル画像のリンク先（コンテンツ本体のデータの記憶場所）、サムネイル画像が貼り付けられたデータベース上の位置を表す座標、コンテンツに関するその他の情報がデータベース構成情報により表されている。
【０１３７】
サムネイル画像が貼り付けられたり、手書き文字が入力される毎に、これらの情報がデータベース構成情報に登録される。図２２の例においては、データベース構成情報の２段目に、あるデータベースに入力された手書き文字のリンク先はリンク情報＃１であり、入力位置は座標（ｘ1，ｙ1）であることが登録されている。また、手書き文字の幅Ｗ1、高さｈ1とともに、その他の情報として、手書き文字の色、ペンの太さ等が登録されている。
【０１３８】
同様に、同じデータベースに貼り付けられた動画コンテンツ、静止画コンテンツ、テキスト、音声コンテンツのそれぞれのサムネイル画像のリンク情報、位置、幅、高さ、その他の情報も登録されている。なお、図２２においてデータベースに入力されたものとして示されている「テキスト」は、例えば、予定表のデータベースに入力された予定である。また、データベース構成情報に登録される「座標」は、例えば、サムネイル画像の左上隅の座標である。
【０１３９】
図２１の説明に戻り、データベース処理ソフトウエア３７１により管理されているデータベース３９１にはコンテンツ＃１乃至＃３が関連付けられている（コンテンツ＃１乃至＃３のそれぞれのサムネイル画像がデータベース３９１に貼り付けられている）。
【０１４０】
すなわち、この場合、データベース処理ソフトウエア３７１は、データベース構成情報を用いて、データベース３９１に関連付けられているコンテンツ＃１乃至＃３のコンテンツの種類、サムネイル画像のリンク情報、貼り付け位置、その他の情報を管理している。
【０１４１】
データベース処理ソフトウエア３７１は、データベース３９１に貼り付けられたサムネイル画像がタップされ、コンテンツの再生が指示されたとき、コンテンツ処理ソフトウエア群３６２を構成するコンテンツ処理ソフトウエアのいずれかにコンテンツの再生を要求する。
【０１４２】
また、データベース処理ソフトウエア３７１は、ユーザにより一覧表示ボタン２２１が操作され、作成中のデータベース３９１に貼り付けるサムネイル画像の一覧の表示が指示されたとき、そのことをサムネイル表示ソフトウエア３６３に通知し、サムネイル画像の一覧を表示させる。
【０１４３】
コンテンツ処理ソフトウエア群３６２は、静止画コンテンツの再生（プレビュー）を管理する静止画コンテンツ処理ソフトウエア３８１−１、動画コンテンツの再生を管理する動画コンテンツ処理ソフトウエア３８１−２、音声コンテンツの再生を管理する音声コンテンツ処理ソフトウエア３８１−３、コンテンツとして用意されているメモの再生（プレビュー）を管理するメモコンテンツ処理ソフトウエア３８１−４から構成される。以下、静止画コンテンツ処理ソフトウエア３８１−１乃至メモコンテンツ処理ソフトウエア３８１−４を個々に区別する必要がない場合、まとめてコンテンツ処理ソフトウエア３８１という。
【０１４４】
コンテンツ処理ソフトウエア３８１は、記憶部１３９やMS３に記憶されている全てのコンテンツ３９２を管理しており、コンテンツのビューワの機能を提供する。データベース処理ソフトウエア３７１から静止画コンテンツの再生が要求されたとき、静止画コンテンツ処理ソフトウエア３８１−１により静止画コンテンツの再生が行われ、動画コンテンツの再生が要求されたとき、動画コンテンツ処理ソフトウエア３８１−２により動画コンテンツの再生が行われる。また、音声コンテンツの再生が要求されたとき、音声コンテンツ処理ソフトウエア３８１−３により音声コンテンツの再生が行われ、メモの再生が要求されたとき、メモコンテンツ処理ソフトウエア３８１−４によりメモの再生が行われる。
【０１４５】
なお、メモの再生は、それを作成したデータベース処理ソフトウエア３７１（メモデータベース処理ソフトウエア３７１−１）により行われるようにしてもよい。
【０１４６】
上述したように、ユーザは、サムネイル表示領域２４１に一覧表示されているサムネイル画像をタップすることによってもコンテンツを再生させることができる。サムネイル表示領域２４１に表示されているサムネイル画像がタップされたとき、サムネイル表示ソフトウエア３６３からそのことが通知され、再生が指示されたコンテンツのカテゴリに応じて、コンテンツ処理ソフトウエア３８１によりコンテンツの再生が行われる。
【０１４７】
サムネイル表示ソフトウエア３６３は、データベース処理ソフトウエア３７１からサムネイル画像の一覧の表示が要求されたとき、コンテンツ３９２を参照して、それぞれのコンテンツを表すサムネイル画像を生成し、サムネイル画像をサムネイル表示領域２４１に一覧表示させる。また、サムネイル表示ソフトウエア３６３は、サムネイル画像として一覧表示させるコンテンツのカテゴリを制限することが要求されたとき（カテゴリ選択ボタン２６１乃至２６４のいずれかが操作されたとき）、その要求に応じてサムネイル画像の表示を更新させる。
【０１４８】
さらに、サムネイル表示ソフトウエア３６３は、サムネイル表示領域２４１に表示されているサムネイル画像がタップされたとき、コンテンツの再生をコンテンツ処理ソフトウエア３８１に要求する。
【０１４９】
図２３は、図２１の各ソフトウエアが実行されることで実現されるPDA１の機能構成例を示すブロック図である。
【０１５０】
データベース処理ソフトウエア３７１により実現されるデータベース構成情報管理部４０１は、タッチパネル３６において検出されるユーザからの入力に基づいて、図２２に示されるようなデータベース構成情報を管理し、必要に応じてデータベース構成情報をデータベース表示制御部４０２に提供する。
【０１５１】
また、データベース構成情報管理部４０１は、データベースに貼り付けられているサムネイル画像がタップされ、コンテンツの再生が指示されたことをタッチパネル３６からの出力に基づいて検出した場合、それを再生要求部４０３に通知する。
【０１５２】
データベース表示制御部４０２は、データベース構成情報管理部４０１から提供される情報に従って、図８のメモ作成領域２１１や図１５の予定入力領域３０１の表示を制御する。
【０１５３】
例えば、データベース表示制御部４０２は、データベース構成情報管理部４０１から図２２のデータベース構成情報が提供されたとき、手書き文字（２段目に登録されている情報）を、その他の情報で表される色、太さで、座標（ｘ1，ｙ1）で表される位置に表示させるとともに、他のコンテンツについても、サムネイル画像等をデータベース上の所定の位置に、所定の大きさで表示させる。サムネイル画像の大きさを表す情報は、例えば、図２２のその他の情報として記述されている。
【０１５４】
再生要求部４０３は、静止画コンテンツのサムネイル画像がタップされた場合、静止画コンテンツ処理ソフトウエア３８１−１により実現される静止画コンテンツ再生部４２１−１に静止画コンテンツの再生を要求し、動画コンテンツのサムネイル画像がタップされた場合、動画コンテンツ処理ソフトウエア３８１−２により実現される動画コンテンツ再生部４２１−２に動画コンテンツの再生を要求する。
【０１５５】
また、再生要求部４０３は、音声コンテンツのサムネイル画像がタップされた場合、音声コンテンツ処理ソフトウエア３８１−３により実現される音声コンテンツ再生部４２１−３に音声コンテンツの再生を要求し、メモのサムネイル画像がタップされた場合、メモコンテンツ処理ソフトウエア３８１−４により実現されるメモコンテンツ再生部４２１−４にメモの再生を要求する。
【０１５６】
表示要求部４０４は、一覧表示ボタン２２１に対するユーザの操作を検出し、サムネイル画像の一覧を表示することが指示された場合、それをサムネイル表示ソフトウエア３６３により実現される検索部４１１に要求し、一方、サムネイル画像の一覧を閉じることが指示された場合、それをサムネイル画像表示制御部４１３に要求する。
【０１５７】
サムネイル表示ソフトウエア３６３により実現される検索部４１１は、静止画コンテンツの検索を行う静止画コンテンツ検索部４１１−１、動画コンテンツの検索を行う動画コンテンツ検索部４１１−２、音声コンテンツの検索を行う音楽コンテンツ検索部４１１−３、メモの検索を行うメモコンテンツ検索部４１１−４から構成される。このように、PDA１には、コンテンツの検索を行う機能部がコンテンツのカテゴリ毎に用意される。
【０１５８】
静止画コンテンツ検索部４１１−１乃至メモコンテンツ検索部４１１−４のそれぞれは、サムネイル画像の一覧を表示することがデータベース処理ソフトウエア３７１の表示要求部４０４から要求されることに応じてコンテンツの検索を行い、検索結果をサムネイル画像生成部４１２に出力する。静止画コンテンツ検索部４１１−１乃至メモコンテンツ検索部４１１−４によるコンテンツの検索は、PDA１にMS３やCF４が装着されている場合には、MS３、CF４、および記憶部１３９を対象として行われ、MS３やCF４が装着されていない場合には、記憶部１３９のみを対象として行われる。
【０１５９】
サムネイル画像生成部４１２は、検索部４１１（静止画コンテンツ検索部４１１−１乃至メモコンテンツ検索部４１１−４）から供給される検索結果に基づいて、各コンテンツのサムネイル画像を生成する。上述したように、例えば、静止画コンテンツのサムネイル画像として、静止画を縮小した画像を生成し、動画コンテンツのサムネイル画像として、先頭の１フレームの画像を縮小した画像を生成する。サムネイル画像生成部４１２により生成されたサムネイル画像はサムネイル画像表示制御部４１３に出力される。
【０１６０】
なお、サムネイル画像を生成するサムネイル画像生成部４１２は、コンテンツ処理ソフトウエア３８１により実現されるようにしてもよい。この場合、検索部４１１によるコンテンツの検索結果がコンテンツ処理ソフトウエア３８１のサムネイル画像生成部４１２に通知され、その通知に応じて、サムネイル画像が生成される。生成されたサムネイル画像は、サムネイル表示ソフトウエア３６３のサムネイル画像表示制御部４１３に供給され、LCD２８に表示される。
【０１６１】
サムネイル画像表示制御部４１３は、サムネイル画像生成部４１２から供給されるサムネイル画像をサムネイル表示領域２４１に一覧表示させる。また、サムネイル画像表示制御部４１３は、タッチパネル３６からの出力に基づいて、カテゴリ選択ボタン２６１乃至２６４のいずれかが操作されたことを検出した場合、操作されたボタンに対応するカテゴリのコンテンツのサムネイル画像を除くように一覧の表示を更新する。
【０１６２】
さらに、サムネイル画像表示制御部４１３は、タッチパネル３６からの出力に基づいて、サムネイル表示領域２４１に表示させているサムネイル画像がタップされ、コンテンツを再生することがユーザから指示された場合、そのことを再生要求部４１４に通知する。
【０１６３】
再生要求部４１４は、データベース処理ソフトウエア３７１の再生要求部４０３と同様に、再生が指示されたコンテンツのカテゴリに応じて、静止画コンテンツ再生部４２１−１乃至メモコンテンツ再生部４２１−４のいずれかにコンテンツの再生を要求する。
【０１６４】
次に、PDA１の動作についてフローチャートを参照して説明する。
【０１６５】
始めに、図２４のフローチャートを参照して、データ処理ソフトウエア３７１により実行されるデータベース作成処理について説明する。
【０１６６】
ステップＳ１において、データベース構成情報管理部４０１は、タッチパネル３６からの出力に基づいて、例えば、手書き文字の入力やサムネイル画像の貼り付けなどの、ユーザによる入力があったか否かを判定する。
【０１６７】
ステップＳ１において、ユーザによる入力があったと判定した場合、ステップＳ２に進み、データベース構成情報管理部４０１は、その入力に応じて、自分自身が管理するデータベース構成情報を更新する。また、ステップＳ２においては、データベース構成情報管理部４０１によるデータベース構成情報の更新に伴い、その更新が、データベース表示制御部４０２によりデータベースの表示に反映される。
【０１６８】
これにより、例えば、曲線の手書き文字がユーザにより入力された場合、この手書き文字の入力された位置を表す座標や、色、ペンの太さがデータベース構成情報に登録される。また、新たに登録された情報がデータベースの表示に反映され、図９に示されるような画像２３１がLCD２８に表示される。
【０１６９】
ステップＳ１において、ユーザからの入力がないと判定された場合、ステップＳ２の処理はスキップされる。
【０１７０】
ステップＳ３において、表示要求部４０４は、サムネイル画像の一覧を表示済みであるか否かを判定し、まだ表示していないと判定した場合、ステップＳ４に進む。
【０１７１】
ステップＳ４において、表示要求部４０４は、サムネイル画像の一覧の表示が指示されたか否かをタッチパネル３６からの出力に基づいて判定する。
【０１７２】
一覧表示ボタン２２１が操作されたため、ステップＳ４において、サムネイル画像の一覧の表示が指示されたと判定した場合、表示要求部４０４は、ステップＳ５に進み、サムネイル画像の一覧の表示をサムネイル表示ソフトウエア３６３（検索部４１１）に要求する。
【０１７３】
この要求に応じて、サムネイル表示ソフトウエア３６３においては、サムネイル画像の一覧の表示が行われる。サムネイル表示ソフトウエア３６３による処理の詳細については図２５のフローチャートを参照して後述する。
【０１７４】
ステップＳ６において、データベース構成情報管理部４０１は、データベースに対するサムネイル画像の貼り付けが、サムネイル表示ソフトウエア３６３のサムネイル画像表示制御部４１３から通知されたか否かを判定する。サムネイル表示領域２４１に表示されたサムネイル画像の一覧から選択されたサムネイル画像が、ドラッグアンドドロップにより例えばメモ作成領域２１１に貼り付けられたとき、そのことがサムネイル画像表示制御部４１３から通知されてくる（図２５のステップＳ３１）。
【０１７５】
データベース構成情報管理部４０１は、ステップＳ６において、データベースに対するサムネイル画像の貼り付けが通知されてきたと判定した場合、ステップＳ７に進み、データベース構成情報を更新する。このときも、そのデータベース構成情報の更新がデータベース表示制御部４０２によりデータベースの表示に反映される。
【０１７６】
これにより、例えば、図１０に示されるように、サムネイル画像２５３がサムネイル表示領域２４１からドラッグアンドドロップにより位置Ｐ1に貼り付けられたとき、そのサムネイル画像２５３により表されるコンテンツ本体のデータの記録場所を表すリンク情報や、位置Ｐ1の座標等がデータベース構成情報に登録され、表示に反映される（図１１）。
【０１７７】
ステップＳ４において、サムネイル画像の一覧の表示が指示されていないと判定された場合、ステップＳ５乃至Ｓ７の処理はスキップされる。また、ステップＳ６において、サムネイル画像の貼り付けが通知されていないと判定された場合、ステップＳ７の処理はスキップされる。
【０１７８】
一方、ステップＳ３において、表示要求部４０４は、サムネイル画像の一覧を表示済みであると判定した場合、ステップＳ８に進み、表示しているサムネイル画像の一覧を閉じることが指示されたか否かを判定する。サムネイル画像の一覧が表示されているときに一覧表示ボタン２２１を操作することによって、ユーザは、サムネイル画像の一覧を閉じることができる。
【０１７９】
ステップＳ８において、表示要求部４０４は、表示しているサムネイル画像の一覧を閉じることが指示されていないと判定した場合、ステップＳ６に進み、それ以降の処理を実行する。
【０１８０】
表示要求部４０４は、ステップＳ８において、一覧を閉じることが指示されたと判定した場合、ステップＳ９に進み、サムネイル画像の一覧を閉じることをサムネイル表示ソフトウエア３６３のサムネイル画像表示制御部４１３に要求する。この要求に応じて、サムネイル表示ソフトウエア３６３によってサムネイル画像の一覧の表示が消される。その後、処理はステップＳ１０に進む。
【０１８１】
ステップＳ１０において、データベース構成情報管理部４０１は、データベースに貼り付けたコンテンツの再生がユーザから指示されたか否かを判定し、データベースに貼り付けたサムネイル画像がタップされたことから、そのサムネイル画像により表されるコンテンツの再生が指示されたと判定した場合、そのことを再生要求部４０３に通知する。
【０１８２】
再生要求部４０３は、ステップＳ１１において、コンテンツの再生をコンテンツ処理ソフトウエア３８１に対して要求する。再生要求部４０３は、静止画コンテンツのサムネイル画像がタップされた場合、静止画コンテンツ再生部４２１−１に静止画コンテンツの再生を要求し、動画コンテンツのサムネイル画像がタップされた場合、動画コンテンツ再生部４２１−２に動画コンテンツの再生を要求する。また、再生要求部４０３は、音声コンテンツのサムネイル画像がタップされた場合、音声コンテンツ再生部４２１−３に音声コンテンツの再生を要求し、メモのサムネイル画像がタップされた場合、メモコンテンツ再生部４２１−４にメモの再生を要求する。
【０１８３】
データベース構成情報管理部４０１は、ステップＳ１２において、データベースの作成を終了するか否かを判定し、終了しないと判定した場合、ステップＳ１に戻り、それ以降の処理を繰り返し実行する。
【０１８４】
一方、ステップＳ１２において、データベース構成情報管理部４０１は、例えば、図７のメインの画面に戻ることが指示されたため、データベースの作成を終了させると判定した場合、作成中のデータベースに関するデータベース構成情報を記憶部１３９などに保存し、処理を終了させる。
【０１８５】
次に、図２５のフローチャートを参照して、サムネイル表示ソフトウエア３６３により実行されるサムネイル画像の表示制御処理について説明する。
【０１８６】
この処理は、データベース処理ソフトウエア３７１の表示要求部４０４からの要求（図２４のステップＳ５）があったときに開始される。
【０１８７】
ステップＳ２１において、検索部４１１は、記憶部１３９やMS３などに記憶されているコンテンツを対象として、データベースに貼り付けることのできる全てのカテゴリのコンテンツの検索を行う。
【０１８８】
具体的には、静止画コンテンツ検索部４１１−１により静止画コンテンツの検索が行われ、動画コンテンツ検索部４１１−２により動画コンテンツの検索が行される。また、音声コンテンツ検索部４１１−３により音声コンテンツの検索が行われ、メモコンテンツ検索部４１１−４によりメモコンテンツの検索が行われる。静止画コンテンツ検索部４１１−１至メモコンテンツ検索部４１１−４によるそれぞれの検索結果は、サムネイル画像生成部４１２に出力される。
【０１８９】
サムネイル画像生成部４１２は、ステップＳ２２において、それぞれのカテゴリのコンテンツのサムネイル画像を生成し、生成したサムネイル画像をサムネイル画像表示制御部４１３に出力する。上述したように、サムネイル画像生成部４１２がコンテンツ処理ソフトウエア３８１により実現される場合、ステップＳ２１での検索結果がサムネイル画像生成部４１２に通知され、サムネイル画像が生成される。
【０１９０】
ステップＳ２３において、サムネイル画像表示制御部４１３は、サムネイル画像の一覧を表示させる。これにより、図１０に示されるように、サムネイル表示領域２４１がLCD２８上に形成され、そこに、サムネイル画像の一覧が表示される。
【０１９１】
ステップＳ２４において、サムネイル画像表示制御部４１３は、タッチパネル３６からの出力に基づいて、サムネイル画像のカテゴリの選択が行われたか否かを判定し、カテゴリ選択ボタン２６１乃至２６４のいずれかが操作され、カテゴリの選択が行われたと判定した場合、ステップＳ２５に進む。
【０１９２】
ステップＳ２５において、サムネイル画像表示制御部４１３は、ユーザによる入力に応じてサムネイル画像の表示を更新させる。サムネイル画像表示制御部４１３は、例えば、カテゴリ選択ボタン２６１が操作されたとき、既に表示させているサムネイル画像の中から、静止画コンテンツのサムネイル画像を除くことで表示を更新し、カテゴリ選択ボタン２６２が操作されたとき、動画コンテンツのサムネイル画像を除くことで表示を更新する。カテゴリ選択ボタン２６３，２６４が操作されたときも同様に、メモ、音声コンテンツのサムネイル画像が除かれることで表示が更新される。
【０１９３】
ステップＳ２４において、カテゴリの選択が行われていないと判定された場合、ステップＳ２５の処理はスキップされる。
【０１９４】
ステップＳ２６において、サムネイル画像表示制御部４１３は、タッチパネル３６からの出力に基づいて、サムネイル表示領域２４１にサムネイル画像を表示させているコンテンツの再生が指示されたか否かを判定する。
【０１９５】
サムネイル画像がタップされたことから、ステップＳ２６において、そのサムネイル画像により表されるコンテンツの再生が指示されたと判定した場合、サムネイル画像表示制御部４１３は、そのことを再生要求部４１４に通知する。
【０１９６】
再生要求部４１４は、ステップＳ２７において、コンテンツの再生をコンテンツ処理ソフトウエア３８１に対して要求する。再生要求部４１４は、静止画コンテンツのサムネイル画像がタップされた場合、静止画コンテンツ再生部４２１−１に静止画コンテンツの再生を要求し、動画コンテンツのサムネイル画像がタップされた場合、動画コンテンツ再生部４２１−２に動画コンテンツの再生を要求する。また、再生要求部４１４は、音声コンテンツのサムネイル画像がタップされた場合、音声コンテンツ再生部４２１−３に音声コンテンツの再生を要求し、メモのサムネイル画像がタップされた場合、メモコンテンツ再生部４２１−４にメモの再生を要求する。
【０１９７】
ステップＳ２６において、コンテンツの再生が指示されていないと判定された場合、ステップＳ２７の処理はスキップされる。
【０１９８】
ステップＳ２８において、サムネイル画像表示制御部４１３は、サムネイル表示領域２４１に表示させているサムネイル画像の上にスタイラス２の先端が押し当てられたか否かを判定し、押し当てられたと判定した場合、ステップＳ２９に進み、スタイラス２の移動に連動してサムネイル画像の表示位置を移動させる。
【０１９９】
ステップＳ３０において、サムネイル画像表示制御部４１３は、サムネイル画像に対するスタイラス２の先端の押し当てが終わったか否か、すなわち、スタイラス２の先端がLCD２８の表面から離されたか否かを判定し、スタイラス２の先端がLCD２８の表面から離されていないと判定した場合、ステップＳ２９に戻り、表示位置の移動を繰り返す。
【０２００】
一方、ステップＳ３０において、サムネイル画像表示制御部４１３は、LCD２８の表面からスタイラス２の先端が離され、作成中のデータベースの上にサムネイル画像が移動されたと判定した場合、ステップＳ３１に進み、データベース処理ソフトウエア３７１のデータベース構成情報管理部４０１に対して、サムネイル画像の貼り付けを要求する。
【０２０１】
このとき、サムネイル画像の移動先の位置を表す情報や、そのサムネイル画像のリンク情報などの各種の情報がサムネイル画像表示制御部４１３からデータベース構成情報管理部４０１に通知される。
【０２０２】
このようなサムネイル画像の貼り付けの通知が行われた後、または、ステップＳ２８において、サムネイル画像に対してスタイラス２の先端が押し当てられていないと判定された場合、処理はステップＳ３２に進む。
【０２０３】
ステップＳ３２において、サムネイル画像表示制御部４１３は、サムネイル画像の一覧を閉じること要求されたか否かを判定し、要求されていないと判定した場合、ステップＳ２６に戻り、それ以降の処理を繰り返す。
【０２０４】
また、サムネイル画像表示制御部４１３は、ステップＳ３２において、サムネイル画像の一覧を閉じることが要求されたと判定した場合、一覧を閉じ、処理を終了させる。この要求は、データベース処理ソフトウエア３７１の表示要求部４０４から通知されるものである（図２４のステップＳ９）。
【０２０５】
次に、図２６のフローチャートを参照して、コンテンツ処理ソフトウエア３８１により実行されるコンテンツの再生処理について説明する。
【０２０６】
例えば、この処理が静止画コンテンツ処理ソフトウエア３８１−１により実行される場合、静止画コンテンツ再生部４２１−１は、ステップＳ４１において、静止画コンテンツの再生（プレビュー）が要求されたか否かを判定し、要求されたと判定するまで待機する。
【０２０７】
データベースに貼り付けられた静止画コンテンツのサムネイル画像がタップされたとき、または、サムネイル表示領域２４１に表示されている静止画コンテンツのサムネイル画像がタップされたとき、データベース処理ソフトウエア３７１の再生要求部４０３、サムネイル表示ソフトウエア３６３の再生要求部４１４からそれぞれ静止画コンテンツの再生が要求されてくる（図２４のステップＳ１１、図２５のステップＳ２７）。再生要求部４０３、再生要求部４１４からの要求には、コンテンツ本体の記憶位置を表す情報等も含まれる。
【０２０８】
なお、サムネイル画像がタップされたときにすぐにコンテンツの再生が開始されるのではなく、サムネイル画像がタップされたとき、タップされたコンテンツに対してユーザが選択可能な操作の内容を表すメニューが表示され、そのメニューからある操作が選択されてからコンテンツの再生が開始されるようにしてもよい。サムネイル画像がタップされたときに表示されるメニューには、例えば、コンテンツの再生／はがす／拡大／縮小／削除等が、ユーザが選択可能な操作として用意される。
【０２０９】
静止画コンテンツ再生部４２１−１は、ステップＳ４１において、静止画コンテンツの再生が要求されたと判定した場合、ステップＳ４２に進み、再生要求部４０３、再生要求部４１４からの要求に含まれる情報に基づいてコンテンツ本体のデータを取得し、その再生を開始する。
【０２１０】
これにより、LCD２８上には、例えば、図１２に示されるような静止画のプレビューが表示される。静止画コンテンツ再生部４２１−１は、以上の処理を繰り返し、静止画コンテンツの再生を行う。
【０２１１】
同様の処理が動画コンテンツ再生部４２１−２、音声コンテンツ再生部４２１−３、メモコンテンツ再生部４２１−４によりそれぞれのカテゴリのコンテンツに対して行われる。
【０２１２】
以上においては、データベースに貼り付けるコンテンツは、静止画、動画、音声、メモ（予定表の作成時）のコンテンツであるとしたが、貼り付け可能なコンテンツは、これらのものに限られない。例えば、図７のアプリケーションアイコン２０４や、予め用意されている貼り付け用の画像（例えば、星形の画像）など、各種の情報をコンテンツとして貼り付けることができるようにしてもよい。例えば、アプリケーションアイコン２０４をメモに貼り付けておき、それを用いることで、表示させているメモからソフトウエアを直接起動させることができる。
【０２１３】
また、予定表に登録した１つの予定の項目や、アドレス帳に登録した１つのアドレス情報などのいわゆるPIM(Personal Information Manager)情報を、コンテンツとしてデータベースに貼り付けることができるようにしてもよい。
【０２１４】
さらに、データベース処理ソフトウエア３７１の１つとして、以上のようにサムネイルが貼り付けられるなどして作成されたメモの表示を管理するとともに、MS３などを介して外部から取り込まれたコンテンツなどの画面の表示も管理するソフトウエアがPDA１に用意されるようにしてもよい。
【０２１５】
以下、適宜、メモやコンテンツの画面の表示を管理するソフトウエアを管理ソフトウエアという。また、適宜、管理ソフトウエアにより表示が管理される、他のコンテンツが関連付けられているメモなどのデータベースの画面をページともいう。
【０２１６】
PDA１に用意される管理ソフトウエアが起動したとき、LCD２８には、例えば、管理されているページの一覧であるページ一覧画面が管理ソフトウエアにより表示される。
【０２１７】
ユーザは、ページ一覧画面に一覧表示されるものの中から所定の１つのページを選択し、選択したページの画面（ページ表示画面）を、ページ一覧画面に替えてLCD２８に表示させることができる。
【０２１８】
また、ユーザは、ページ表示画面に表示されるページから、そのページに貼り付けられているサムネイル画像を選択することで、ページ表示画面に代えて、サムネイル画像により表されるコンテンツの再生画面であるコンテンツ閲覧画面（図１２に示されるような画面）を表示させることができる。
【０２１９】
このように、管理ソフトウエアは、それぞれの画面を階層構造で管理し、その表示を切り替える。
【０２２０】
また、管理ソフトウエアは、図２７に示されるように、ページ一覧画面からコンテンツ閲覧画面を、すなわち、図１のようにページ表示画面を表示させることなく、直接表示させる機能も有している。以下、この、ページ表示画面を表示させることなく、ページ一覧画面からコンテンツ閲覧画面を直接表示させる機能を自動閲覧機能という。
【０２２１】
図２７は、管理ソフトウエアによる表示の切り替えを模式的に示す図である。
【０２２２】
ページ一覧画面（図２７の左側の画面）に一覧表示されているページから１つのページである「Page１」が選択されたとき、階層構造の順番に従えば、ページ一覧画面の次には「Page１」のページ表示画面が表示されることになるが、「Page１」に関連付けられているコンテンツである「Data１」が、ページ一覧画面からコンテンツ閲覧画面を直接表示させるような自動閲覧機能の設定を有している場合、ページ一覧画面から「Page１」が選択された直後に、図２７の実線矢印の先に示される「Data１」のコンテンツ閲覧画面が表示されることになる。
【０２２３】
自動閲覧機能の設定は、ユーザが好みに応じて設定することが可能とされている。従って、ユーザは、このような設定をコンテンツに対して行っておくだけで、ページ一覧画面から直接、コンテンツ閲覧画面を表示させることができる。
【０２２４】
なお、図２７のコンテンツ閲覧画面の右下に用意される表示切替ボタン５０１は、表示されているコンテンツが関連付けられているページに関連付けられている他のコンテンツなどを直接表示させるときに操作されるボタンである。
【０２２５】
従って、「Page１」に、「Data１」の他にも「Data２」が関連付けられている場合、ユーザは、表示切替ボタン５０１を操作するだけで、図２７の右側の「Data１」が表示されている状態から、直接、「Data２」を拡大表示させることができる。
【０２２６】
すなわち、ユーザは、「Data１」が表示されている状態から、所定の操作で「Page１」のページ表示画面に戻り、そこから、同じページに貼り付けられている「Data２」のサムネイル画像を選択し直す必要がない。
【０２２７】
以下、画面表示の切り替えについて、図を参照して具体的に説明する。
【０２２８】
図２８は、管理ソフトウエアにより表示されるページ一覧画面の例を示す図である。この画面が図２７の左側のページ一覧画面に対応する。
【０２２９】
図２８のページ一覧画面には、ユーザにより予め行われた登録操作などによって管理ソフトウエアにより管理されている「使い方のヒント１」、「使い方のヒント２」、「使い方のヒント３」、「0401260000」の名前が設定されている４つのページのサムネイル画像５２１乃至５２４が表示されている。図２８において、サムネイル画像５２１乃至５２４は、ユーザにより作成されたメモのデータベースを表す。
【０２３０】
サムネイル画像５２１乃至５２４に示されるように、それぞれのページにはサムネイル画像が貼り付けられている。
【０２３１】
「使い方のヒント１」の名前が設定されているページにはサムネイル画像５２１Ａが貼り付けられており、「使い方のヒント２」の名前が設定されているページにはサムネイル画像５２２Ａが貼り付けられている。また、「使い方のヒント３」の名前が設定されているページにはサムネイル画像５２３Ａが貼り付けられており、「0401260000」の名前が設定されているページにはサムネイル画像５２４Ａ乃至５２４Ｃが貼り付けられている。
【０２３２】
基本的には、ユーザは、例えば、サムネイル画像５２４をスタイラス２などを用いて選択することで、「0401260000」の名前が設定されているページを表示する、図２９に示されるようなページ表示画面を図２８のページ一覧画面に替えて表示させることができる。
【０２３３】
他のページについても同様に、ユーザは、サムネイル画像５２１乃至５２３をタップすることで、それぞれのページのページ表示画面をページ一覧画面に替えて表示させることができる。
【０２３４】
図２９のページ表示画面は、図２８のサムネイル画像５２４により表されるコンテンツを拡大して表示するものであり、サムネイル画像５２４Ａ乃至５２４Ｃが貼り付けられている。
【０２３５】
図２９の状態で、「Data１」としてページに貼り付けられているサムネイル画像５２４Ａが選択されたとき、図３０に示されるように、サムネイル画像５２４Ａにより表される「Data１」（静止画）のコンテンツ閲覧画面が図２９のページ表示画面に替えて表示される。
【０２３６】
従って、ユーザは、基本的には、図２８のページ一覧画面から図３０のコンテンツ閲覧画面を表示させるためには、図２８のサムネイル画像５２４を選択し、表示される図２９のページ表示画面からサムネイル画像５２４Ａを選択する必要があるが、所定の操作を行い、図３０のコンテンツの自動閲覧機能を有効なものとして設定しておくことで、図２８のページ一覧画面から図２８のサムネイル画像５２４を選択するだけで、図３０のコンテンツ閲覧画面を直接表示させることができる。
【０２３７】
なお、図２９、図３０において、ステータス領域２０３に表示される表示切替ボタン５３１は、図２７の表示切替ボタン５０１に相当するものであり、これが操作されたとき、同じ階層にある次のページ、コンテンツが表示される。当然、図２７の表示切替ボタン５０１に相当するボタンが、他の位置に用意されるようにしてもよい。
【０２３８】
例えば、図２９の表示切替ボタン５３１が操作されたとき、図２９のページと同じ階層にある他のページである、図２８のサムネイル画像５２１により表されるページ（「使い方のヒント１」）が表示される。
【０２３９】
また、図３０の表示切替ボタン５３１が操作されたとき、図３０のコンテンツと同じ階層にある他のコンテンツである、図２９のサムネイル画像５２４Ｂにより表されるコンテンツ（「Data２」）が表示される。
【０２４０】
なお、図２８のページ一覧画面に表示されるサムネイル画像５２１乃至５２４により表されるそれぞれのページは同じ階層にあるものであり、図２９のページ表示画面に表示されるサムネイル画像５２４Ａ乃至５２４Ｃにより表されるそれぞれのコンテンツ（「Data１」乃至「Data３」）は同じ階層にあるものである。
【０２４１】
このように、ユーザは、例えば、図３０の画面から、直接、図３０の画面に替えてサムネイル画像５２４Ｂにより表されるコンテンツの閲覧画面を表示させることができる。
【０２４２】
図３１は、管理ソフトウエアにより表示されるページ一覧画面の他の例を示す図である。
【０２４３】
図３１に表示されるサムネイル画像５４１乃至５４９は、例えば、ユーザによる登録操作によらずに、管理ソフトウエアにより自動的に登録されたものである。また、サムネイル画像５４１乃至５４９により表されるいずれのページにも、自動閲覧機能が有効なものとして設定されたコンテンツが自動的に関連付けられている。
【０２４４】
このように、ページ一覧画面へのページの登録、コンテンツに対する自動閲覧機能の設定は、管理ソフトウエアにより自動的に行われるようにしてもよい。
【０２４５】
例えば、ユーザが「札幌地下鉄」の路線図を表示させるために、図３１のサムネイル画像５４４を選択したとき、自動閲覧機能が有効でなければ、図３２に示されるような、サムネイル画像５４４により表されるページが表示されるところ、図３２のページに関連付けられている路線図（静止画のコンテンツ）には、自動閲覧機能が有効なものとして設定されているため、図３１のサムネイル画像５４４が選択された直後には、図３３に示されるような路線図を表示するコンテンツ閲覧画面が直接表示される。
【０２４６】
従って、ユーザは、図３１のページ一覧画面からコンテンツ閲覧画面を直接表示させ、路線図をすぐに確認することができる。
【０２４７】
なお、ユーザは、図３３のステータス領域２０３に表示されている表示切替ボタン５３１を操作することによって、図３３の路線図と同じ階層にある、例えば、図３１のサムネイル画像５４５により表される「仙台地下鉄」の路線図を、図３３の画面から表示させることができる。
【０２４８】
以上のような表示の切り替えを実現させる自動閲覧機能が有効であるか否かは、図３４に示されるように、ページに関連付けられているそれぞれのコンテンツの属性情報に設定されている。
【０２４９】
図３４は、１つのページを構成するデータベースのデータ構造（データベース構成情報）の例を示す図である。
【０２５０】
１つのデータベースはヘッダ部とコンテンツ情報部からなる。ヘッダ部には、それぞれのデータベースの識別情報であるページNo.、データベースの作成日、その他の属性情報が記述される。
【０２５１】
属性情報には、例えば、認証を行うためのパスワードなどの情報が記述され、ユーザによりデータベースの画面（ページ）を表示することが要求された際に用いられる。例えば、ユーザにより入力されたパスワードと、属性情報として記述されているパスワードが一致した場合にのみ、このページの表示が許可される。
【０２５２】
ヘッダ部に続くコンテンツ情報部には、データベースに関連付けられているそれぞれのコンテンツに関する情報が記述される。このコンテンツ情報部に記述される情報は、図２２の情報に相当する。
【０２５３】
図３４の例においては、コンテンツ＃１乃至＃３の情報がコンテンツ情報部に記述されている。それぞれのコンテンツに関する情報として、図３４の右側に示されるような、コンテンツの種類（図２２の「コンテンツの種類」に相当する情報）、名前またはパス名（図２２の「リンク情報」に相当する情報）、自動閲覧機能が有効であるか否かを表す情報、その他の属性情報（図２２の「座標」、「幅」、「高さ」、「その他の情報」に相当する情報）が記述される。
【０２５４】
ページ一覧画面に表示されているページのサムネイル画像が選択されたときに、ページ表示画面を表示させるか、コンテンツ閲覧画面を直接表示させるかは、このように、それぞれのコンテンツに記述される情報が参照されて判断される。
【０２５５】
なお、図３４の構造を有するデータは、図２３のデータベース構成情報管理部４０１により管理されるものである。
【０２５６】
次に、図３５のフローチャートを参照して、自動閲覧機能の設定を行うデータベース処理ソフトウエア３７１（管理ソフトウエア）の処理について説明する。
【０２５７】
ステップＳ３０１において、管理ソフトウエアのデータベース表示制御部４０２は、あるデータベースに関連付けられているコンテンツの詳細画面を表示させる。この詳細画面は、例えば、図９、図１２に示されるように、コンテンツ閲覧画面が表示されている状態で、所定の操作が行われたときに表示される。
【０２５８】
例えば、詳細画面には、コンテンツの作成日などの図３４に示されるようなコンテンツの属性情報が表示される他、自動閲覧機能を有効にするときに操作されるボタンなども用意される。当然、このような詳細画面から自動閲覧機能の有効／無効が設定されるのではなく、他の所定の操作で設定が行われるようにしてもよい。
【０２５９】
ステップＳ３０２において、データベース表示制御部４０２は、自動閲覧機能を有効にすることが設定されたか否かを判定し、設定されたと判定した場合、ステップＳ３０３に進み、自動閲覧機能を有効なものとして設定する。
【０２６０】
これにより、詳細画面が表示されたコンテンツの属性情報（図３４）として、自動閲覧機能が有効であることを表す情報が記述される。
【０２６１】
なお、ステップＳ３０２において、自動閲覧機能を有効にすることが設定されていないと判定された場合、ステップＳ３０３はスキップされる。
【０２６２】
ステップＳ３０４において、データベース表示制御部４０２は、詳細画面を閉じるか否かを判定し、詳細画面を閉じる操作が行われていないと判定した場合、ステップＳ３０１に戻り、それ以降の処理を繰り返す。データベース表示制御部４０２は、ステップＳ３０４において、詳細画面を閉じると判定した場合、処理を終了させる。
【０２６３】
次に、図２８乃至図３０、図３１乃至図３３を参照して説明したようにしてLCD２８の表示を制御する、データベース処理ソフトウエア３７１（管理ソフトウエア）の処理について図３６のフローチャートを参照して説明する。
【０２６４】
ステップＳ３１１において、管理ソフトウエアのデータベース表示制御部４０２は、ページ一覧画面を表示させ、ステップＳ３１２において、一覧表示されるものの中から１つのページが選択されたか否かを判定する。すなわち、ここでは、タッチパネル３６に対するユーザの入力は、データベース表示制御部４０２にも入力されるようになされている。
【０２６５】
ステップＳ３１２において、１つのページが選択されていないと判定した場合、ステップＳ３１３に進み、データベース表示制御部４０２は、表示を終了させるか否かを判定し、終了させないと判定した場合、ステップＳ３１１に戻る。
【０２６６】
一方、ステップＳ３１３において、ページ一覧画面の表示を終了させると判定した場合（例えば、PDA１の電源オフ、ページ一覧画面の前に表示させていた画面に戻ることが要求された場合）、データベース表示制御部４０２は処理を終了させる。
【０２６７】
ステップＳ３１２において、スタイラス２などでサムネイル画像がタップされたことから、１つのページが選択されたと判定した場合、データベース表示制御部４０２は、ステップＳ３１４に進み、選択されたページに関連付けられているコンテンツの属性情報の解析をデータベース構成情報管理部４０１に要求する。
【０２６８】
例えば、図３４の構造を有するデータベースの画面（ページ）がページ一覧画面から選択されたとき、コンテンツ＃１乃至＃３のそれぞれの属性情報の解析がデータベース構成情報管理部４０１により行われる。
【０２６９】
ステップＳ３１５において、データベース構成情報管理部４０１は、属性情報の解析の結果に基づいて、自動閲覧機能が有効なものとして設定されているコンテンツがあるか否かを判定し、そのようなコンテンツがあると判定した場合、ステップＳ３１６に進む。
【０２７０】
ステップＳ３１６においては、データベース構成情報管理部４０１からの通知を受けた再生要求部４０３により、コンテンツ処理ソフトウエア３８１に対してコンテンツの再生が要求される。なお、再生するコンテンツがメモである場合、その作成を管理したデータベース処理ソフトウエア３７１によりメモの再生が行われるようにしてもよい。
【０２７１】
コンテンツ処理ソフトウエア３８１により図２６を参照して説明した処理が行われることで、或いは、データベース処理ソフトウエア３７１自身によりコンテンツの再生が行われることで、LCD２８にはコンテンツ閲覧画面が表示される。
【０２７２】
すなわち、図２８の画面から図３０の画面に、或いは、図３１の画面から図３３の画面に、LCD２８の表示が切り替えられる。
【０２７３】
なお、自動閲覧機能が有効なものとして設定されているコンテンツが複数、ページ一覧画面から選択されたページに関連付けられている場合、例えば、データベース構成情報において先に記述されているコンテンツ（図３４のコンテンツ＃１とコンテンツ＃２の場合、コンテンツ＃１）のコンテンツ閲覧画面が表示される。
【０２７４】
データベース表示制御部４０２は、ステップＳ３１７において、次画面の表示が要求されたか否か、すなわち、表示切替ボタン５３１が操作されたか否かを判定し、表示切替ボタン５３１が操作されていないと判定した場合、ステップＳ３１８をスキップする。
【０２７５】
また、データベース表示制御部４０２は、ステップＳ３１７において、次画面の表示が要求されたと判定した場合、ステップＳ３１８に進み、次画面を表示させる。従って、データベース表示制御部４０２は、表示しているコンテンツに替えて、そのコンテンツと同じ階層にある他のコンテンツのコンテンツ閲覧画面が表示されるように表示を切り替える。ここでの表示の切り替えも、適宜、要求を受けたコンテンツ処理ソフトウエア３８１により行われる。
【０２７６】
これにより、例えば、図３０の画面から、図２９のサムネイル画像５２４Ｂにより表される「Data２」の画面に表示の切り替えが行われる。
【０２７７】
データベース表示制御部４０２は、ステップＳ３１９において、コンテンツ閲覧画面の表示を終了させるか否かを判定し、表示を終了させないと判定した場合、ステップＳ３１６に戻り、コンテンツ閲覧画面を表示し続ける。
【０２７８】
ステップＳ３１９において表示を終了させると判定された場合、処理は終了される。なお、所定の操作によってコンテンツ閲覧画面からページ表示画面やページ一覧画面に戻ることが指示されたとき、指示に従って表示が切り替えられる。
【０２７９】
一方、ステップＳ３１５において、属性情報の解析の結果に基づいて、自動閲覧機能が有効なものとして設定されているコンテンツがないと判定された場合、ステップＳ３２０に進み、データベース表示制御部４０２は、ページ一覧画面から選択されたページのページ表示画面を表示させる。
【０２８０】
すなわち、図２８の画面から図２９の画面に、或いは、図３１の画面から図３２の画面に、LCD２８の表示が切り替えられる。
【０２８１】
ステップＳ３２１において、データベース表示制御部４０２は、表示しているページ表示画面からサムネイル画像が選択されたか否かを判定し、選択されたと判定した場合、ステップＳ３１６に進み、選択されたサムネイル画像により表されるコンテンツを表示させ、それ以降の処理を行わせる。
【０２８２】
すなわち、図２９の画面から図３０の画面に、或いは、図３２の画面から図３３の画面に、LCD２８の表示が切り替えられる。
【０２８３】
ステップＳ３２１において、ページ表示画面からサムネイル画像が選択されていないと判定した場合、データベース表示制御部４０２は、ステップＳ３２２に進み、次画面の表示が要求されたか否か、すなわち、表示切替ボタン５３１が操作されたか否かを判定する。
【０２８４】
ステップＳ３２２において、表示切替ボタン５３１が操作されたと判定した場合、ステップＳ３２３に進み、データベース表示制御部４０２は次画面を表示させる。
【０２８５】
これにより、例えば、図２９の画面から、図２８のサムネイル画像５２１により表される「使い方のヒント１」の画面に表示の切り替えが行われる。なお、ステップＳ３２２において、次画面の表示が要求されていないと判定された場合、ステップＳ３２３はスキップされる。
【０２８６】
ステップＳ３２４において、ページ表示画面の表示を終了させるか否かを判定し、表示を終了させないと判定した場合、ステップＳ３２０に戻り、データベース表示制御部４０２は、ページ表示画面を表示し続ける。
【０２８７】
ステップＳ３２４において表示を終了させると判定された場合、処理は終了される。なお、所定の操作によってページ表示画面からページ一覧画面に戻ることが指示されたとき、その指示に従って表示の切り替えが行われる。
【０２８８】
以上においては、自動閲覧機能が有効なものとして設定されるコンテンツが静止画のコンテンツである場合について主に説明したが、当然、動画、音声、手書きのメモのコンテンツなどについても自動閲覧機能の設定が行われる。
【０２８９】
例えば、あるページにサムネイル画像が貼り付けられている動画のコンテンツについて自動閲覧機能が有効なものとして設定されている場合、ページ一覧画面からそのページが選択されとき、動画のコンテンツの再生画面がページ一覧画面に替えて直接表示される。
【０２９０】
また、あるページにサムネイル画像が貼り付けられている音声のコンテンツについて自動閲覧機能が有効なものとして設定されている場合、ページ一覧画面からそのページが選択されとき、例えば、音声のコンテンツの再生中であることを表す所定の画面がページ一覧画面に替えて直接表示される。このとき、音声の再生も行われる。
【０２９１】
さらに、あるページにサムネイル画像が貼り付けられている手書きのメモのコンテンツについて自動閲覧機能が有効なものとして設定されている場合、ページ一覧画面からそのページが選択されとき、手書きのメモの画面がページ一覧画面に替えて表示される。
【０２９２】
このように、様々なコンテンツについても自動閲覧機能の設定が行われ、設定に基づいて表示の切り替えが行われる。
【０２９３】
なお、以上のようにして表示が切り替えられる画面は、ソフトウエア的に形成される例えばウインドウなどの所定の領域に表示される画面であってもよい。
【０２９４】
以上においては、上述したようなデータベースに対するコンテンツの貼り付けは、PDA１において行われるとしたが、この他、携帯電話機やノートブック型のパーソナルコンピュータなど、各種の機器において行われるようにしてもよい。
【０２９５】
上述した一連の処理は、ハードウェアにより実行させることもできるが、ソフトウエアにより実行させることもできる。
【０２９６】
一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２９７】
この記録媒体は、図６に示されるように、装置本体とは別に、ユーザにプログラムを提供するために配布される、プログラムが記録されているMS３やCF４などよりなるパッケージメディアにより構成されるだけでなく、装置本体に予め組み込まれた状態でユーザに提供される、プログラムが記録されているROM１３２や記憶部１３９などで構成される。
【０２９８】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０２９９】
【図１】従来の画面表示の切り替えについて示す図である。
【図２】本体部に対して表示部を閉じた状態のPDAの外観の例を示す斜視図である。
【図３】本体部に対して表示部を開いた状態のPDAの外観の例を示す斜視図である。
【図４】PDAの背面側の外観の例を示す斜視図である。
【図５】PDAの背面側の他の外観の例を示す斜視図である。
【図６】PDAの内部構成の例を示すブロック図である。
【図７】メイン画面の例を示す図である。
【図８】メモの作成画面の例を示す図である。
【図９】メモの作成画面の他の例を示す図である。
【図１０】メモの作成画面のさらに他の例を示す図である。
【図１１】メモの作成画面の例を示す図である。
【図１２】コンテンツの表示画面の例を示す図である。
【図１３】図１１の画面を構成する階層の例を示す図である。
【図１４】図１０のサムネイル表示領域の詳細を示す図である。
【図１５】予定表の作成画面の例を示す図である。
【図１６】予定表の作成画面の他の例を示す図である。
【図１７】予定表の作成画面のさらに他の例を示す図である。
【図１８】予定表の作成画面の例を示す図である。
【図１９】予定表の作成画面の例を示す図である。
【図２０】図１８の画面を構成する階層の例を示す図である。
【図２１】PDAに用意されるソフトウエア構成の例を示すブロック図である。
【図２２】データベース構成情報の例を示す図である。
【図２３】機能構成例を示すブロック図である。
【図２４】データベース処理ソフトウエアのデータベース作成処理について説明するフローチャートである。
【図２５】サムネイル表示ソフトウエアの表示制御処理について説明するフローチャートである。
【図２６】コンテンツ処理ソフトウエアの再生処理について説明するフローチャートである。
【図２７】画面表示の切り替えを模式的に示す図である。
【図２８】ページ一覧画面の例を示す図である。
【図２９】ページ表示画面の例を示す図である。
【図３０】コンテンツ閲覧画面の例を示す図である。
【図３１】ページ一覧画面の他の例を示す図である。
【図３２】ページ表示画面の他の例を示す図である。
【図３３】コンテンツ閲覧画面の他の例を示す図である。
【図３４】データ構造の例を示す図である。
【図３５】データベース処理ソフトウエアの自動閲覧機能の設定処理について説明するフローチャートである。
【図３６】データベース処理ソフトウエアの表示制御処理について説明するフローチャートである。
【符号の説明】
【０３００】
１  PDA，  ２  スタイラス，  ３６１  データベース処理ソフトウエア群，  ３６２  コンテンツ処理ソフトウエア群，  ３６３  サムネイル表示ソフトウエア，  ４０１  データベース構成情報管理部，  ４０２  データベース表示制御部，  ４０３  再生要求部，  ４０４  表示要求部，  ４１１  検索部，  ４１２  サムネイル画像生成部，  ４１３  サムネイル画像表示制御部，  ４１４  再生要求部
【図１】
2005228087.tif 000003
【図２】
2005228087.tif 000004
【図３】
2005228087.tif 000005
【図４】
2005228087.tif 000006
【図５】
2005228087.tif 000007
【図６】
2005228087.tif 000008
【図７】
2005228087.tif 000009
【図８】
2005228087.tif 000010
【図９】
2005228087.tif 000011
【図１０】
2005228087.tif 000012
【図１１】
2005228087.tif 000013
【図１２】
2005228087.tif 000014
【図１３】
2005228087.tif 000015
【図１４】
2005228087.tif 000016
【図１５】
2005228087.tif 000017
【図１６】
2005228087.tif 000018
【図１７】
2005228087.tif 000019
【図１８】
2005228087.tif 000020
【図１９】
2005228087.tif 000021
【図２０】
2005228087.tif 000022
【図２１】
2005228087.tif 000023
【図２２】
2005228087.tif 000024
【図２３】
2005228087.tif 000025
【図２４】
2005228087.tif 000026
【図２５】
2005228087.tif 000027
【図２６】
2005228087.tif 000028
【図２７】
2005228087.tif 000029
【図２８】
2005228087.tif 000030
【図２９】
2005228087.tif 000031
【図３０】
2005228087.tif 000032
【図３１】
2005228087.tif 000033
【図３２】
2005228087.tif 000034
【図３３】
2005228087.tif 000035
【図３４】
2005228087.tif 000036
【図３５】
2005228087.tif 000037
【図３６】
2005228087.tif 000038